(57)【要約】【課題】隔壁の構造を改善して構造的に信頼性の向上したプラズマディスプレイパネルを提供する。  【解決手段】前面基板と、前面基板と対向するように配置された後面基板（１１１）と、前面基板と後面基板（１１１）との間に放電セルを区画する隔壁（１１２）を含む。隔壁（１１２）は、側縁部にあって外側に延びるにつれて高さが漸減する第１部分（Ｐ１）と、非側縁部にあって高さが実質的に同一である第２部分（Ｐ２）とを備える。【選択図】図６
2008098133.tif 000002
【特許請求の範囲】
【請求項１】
前面基板と、
前記前面基板と対向するように配置された後面基板と、
前記前面基板と後面基板との間に放電セルを区画する隔壁を含み、
前記隔壁は、側縁部にあって外側に延びるにつれて高さが漸減する第１部分と、非側縁部にあって高さが実質的に同一である第２部分とを備えるプラズマディスプレイパネル。
【請求項２】
前記隔壁の第１部分は、映像が表示されないダミー領域に対応することを特徴とする請求項１に記載のプラズマディスプレイパネル。
【請求項３】
前記第１部分の最小高さは、前記第２部分の最大高さの１０％以上９０％以下であることを特徴とする請求項１に記載のプラズマディスプレイパネル。
【請求項４】
前記第１部分の最小高さは、前記第２部分の最大高さの４０％以上７０％以下であることを特徴とする請求項３に記載のプラズマディスプレイパネル。
【請求項５】
前記第１部分の隔壁長さは、０．１mm以上１０mm以下であることを特徴とする請求項１に記載のプラズマディスプレイパネル。
【請求項６】
前記第１部分の隔壁長さは、０．５mm以上４mm以下であることを特徴とする請求項５に記載のプラズマディスプレイパネル。
【請求項７】
前記第１部分での高さ減少比率は、長さ１μｍ当り０．０１μｍ以上０．１μｍ以下である請求項１に記載のプラズマディスプレイパネル。
【請求項８】
前記第１部分は、前記隔壁の両側縁部の内、少なくともいずれか一方であることを特徴とする請求項１に記載のプラズマディスプレイパネル。
【請求項９】
前記第１部分の縁端部は、ラウンド状であるか又は角状であることを特徴とする請求項１に記載のプラズマディスプレイパネル。
【請求項１０】
前記隔壁は、互いに異なる色の光を放出する放電セルを区画することを特徴とする請求項１に記載のプラズマディスプレイパネル。
【請求項１１】
前面基板と、
前記前面基板と対向するように配置される後面基板と、
前記前面基板と後面基板との間で放電セルを区画する隔壁を含み、
前記隔壁は、側縁部にあって外側に延びるにつれて高さが漸減する第１部分と、非側縁部にあって高さが実質的に同一である第２部分とを含む第１隔壁と、
前記第１隔壁と交差し、前記第２部分より高さの低い第２隔壁とを含むことを特徴とするプラズマディスプレイパネル。
【請求項１２】
前記第１隔壁は、異なる色の光を放出する放電セルを区画することを特徴とする請求項１１に記載のプラズマディスプレイパネル。
【請求項１３】
前記第２隔壁の高さと前記第１隔壁の第２部分の高さの差は、１０μｍ乃至３５μｍの範囲を有することを特徴とする請求項１１に記載のプラズマディスプレイパネル。
【請求項１４】
前記第１隔壁の第１部分は、映像が表示されないダミー領域に対応することを特徴とする請求項１１に記載のプラズマディスプレイパネル。
【請求項１５】
前記第１隔壁及び第２隔壁には、１０００ｐｐｍ以下のＰｂが含まれることを特徴とする請求項１１に記載のプラズマディスプレイパネル。
【請求項１６】
前面基板と、
前記前面基板と対向するように配置された後面基板と、
前記前面基板と後面基板との間に放電セルを区画する隔壁と、
前記隔壁は、側縁部にあって外側に延びるにつれて高さが漸減する第１部分と、非側縁部にあって高さが実質的に同一である第２部分とを含む第１隔壁と、
前記第１隔壁と交差し、前記第２部分より低い第２隔壁とを含み、
前記第２部分には、前記第１隔壁又は第２隔壁より暗い色合いのレイヤが形成されることを特徴とするプラズマディスプレイパネル。
【請求項１７】
前記レイヤは、前記第２部分上にラミネーティングされることを特徴とする請求項１６に記載のプラズマディスプレイパネル。
【請求項１８】
前記レイヤは、前記第２部分と一体型に形成されることを特徴とする請求項１６に記載のプラズマディスプレイパネル。
【請求項１９】
前記第１隔壁は、異なる色の光を放出する放電セルを区画することを特徴とする請求項１６に記載のプラズマディスプレイパネル。
【請求項２０】
前記第１隔壁の第１部分は、映像が表示されないダミー領域に対応することを特徴とする請求項１６に記載のプラズマディスプレイパネル。
【発明の詳細な説明】
【技術分野】
【０００１】
本発明は、プラズマディスプレイパネルに関する。
【背景技術】
【０００２】
一般に、プラズマディスプレイパネルは、隔壁で区画された放電セル内に蛍光体層を含み、放電セルへ駆動信号を印加できるように複数の電極を備える。
【０００３】
このようなプラズマディスプレイパネルは、放電セルへ駆動信号を印加すると、放電セル内に充填されている放電ガスが真空紫外線（Ｖａｃｃｕｍ  Ｕｌｔｒａｖｉｏｌｅｔ  Ｒａｙｓ）を発生する。このような真空紫外線が、放電セル内に形成された蛍光体を発光させて映像を具現する。
【発明の開示】
【発明が解決しようとする課題】
【０００４】
本発明の目的は、隔壁の構造を改善して構造的に信頼性の向上したプラズマディスプレイパネルを提供することにある。
【０００５】
また、本発明の他の目的 は、隔壁の構造を改善して蛍光体の塗布特性を向上させることができるプラズマディスプレイパネルを提供することにある。
【課題を解決するための手段】
【０００６】
本発明の一つの実施形態におけるプラズマディスプレイパネルは、前面基板、後面基板及び隔壁を含み、隔壁は、側縁部にあって外側に延びるにつれて高さが漸減する第１部分と、非側縁部にあって高さが実質的に同一である第２部分とを備える。
【０００７】
本発明の他の実施例におけるプラズマディスプレイパネルは、前面基板、後面基板及び隔壁を含み、隔壁は、側縁部にあって外側に延びるにつれて高さが漸減する第１部分と、非側縁部にあって高さが実質的に同一である第２部分とを備える第１隔壁と、第１隔壁と交差し、第２部分より高さが低い第２隔壁を含む。
【０００８】
本発明の他の実施例におけるプラズマディスプレイパネルは、前面基板、後面基板及び隔壁を含み、隔壁は、側縁部にあって外側に延びるにつれて高さが漸減する第１部分と、非側縁部にあって高さが実質的に同一である第２部分とを備えた第１隔壁と、第１隔壁と交差し、第２部分より低い第２隔壁を含み、第２部分には第１隔壁又は第２隔壁より暗い色合いのレイヤが形成される。
【発明を実施するための最良の形態】
【０００９】
以下、添付図面を参照し本発明の実施形態を詳細に説明する。ここに説明される実施形態は、本発明の属する技術分野における当業者が、本発明を十分に実施できるように例示するものであって、本発明の範囲を制限するものではない。
【００１０】
図１は、本発明の一つの実施形態に係るプラズマディスプレイパネルの構造を説明するための図である。
【００１１】
図１を参照すると、本発明の一つの実施形態に係るプラズマディスプレイパネルは、互いに並んでいる第１電極１０２と第２電極１０３が形成される前面基板１０１と、第１電極１０２及び第２電極１０３と交差する第３電極１１３が形成される後面基板１１１とが一定の間隔をおいて合着される。
【００１２】
第１電極１０２と第２電極１０３が形成された前面基板１０１の上部には、第１電極１０２と第２電極１０３を覆うべく誘電体層１０４が形成される。
【００１３】
このような上部誘電体層１０４は、第１電極１０２及び第２電極１０３の放電電流を制限して第１電極１０２と第２電極１０３間を絶縁させる。
【００１４】
上部誘電体層１０４の上面には、放電条件を容易にするための保護層１０５が形成される。保護層１０５は、酸化マグネシウムなどの材料を上部誘電体層１０４の上部に蒸着する方法などを通じて形成される。
【００１５】
後面基板１１１上には、第３電極１１３が形成され、第３電極１１３が形成された後面基板１１１の上部には、第３電極１１３を覆うべく下部誘電体層１１５が形成される。
【００１６】
下部誘電体層１１５は、第３電極１１３同士を互いに絶縁させる。
【００１７】
下部誘電体層１１５の上部には、放電セルを区画するための隔壁が形成される。
【００１８】
隔壁によって形成された放電セル内には、色を表現するための赤色（Ｒｅｄ:Ｒ）、緑色（Ｇｒｅｅｎn:Ｇ）、青色（Ｂｌｕｅ:Ｂ）の蛍光体が形成される。この場合、赤色（Ｒ）、緑色（Ｇ）、青色（Ｂ）の放電セル以外に白色（Ｗｈｉｔｅ:Ｗ）又は黄色（Ｙｅｌｌｏｗ:Ｙ）の蛍光体が放電セル内に形成されるようにしてもよい。
【００１９】
隔壁によって形成された放電セル構造は、ストライプタイプ（Ｓｔｒｉｐｅ  ｔｙｐｅ）、ウェルタイプ（Ｗｅｌｌ ｔｙｐｅ）、デルタタイプ（Ｄｅｌｔａ  ｔｙｐｅ）、蜂の巣タイプなどに形成されることができる。
【００２０】
また、赤色（Ｒ）、緑色（Ｇ）及び青色（Ｂ）の放電セルのピッチ（ｐｉｔｃｈ）は、実質的に同一である場合もあるが、プラズマディスプレイ装置で映像をユーザが視聴する時、映像に対するユーザの視感特性を向上させるために各放電セルのピッチを調節することもある。
【００２１】
このような場合、赤色（Ｒ）、緑色（Ｇ）及び青色（Ｂ）の放電セル毎にピッチを全部相違させることができるが、図２に示すように、赤色（Ｒ）、緑色（Ｇ）及び青色（Ｂ）の放電セルの内、二つの放電セルのピッチを他の放電セルの幅と相違させることもできる。
【００２２】
また、下部基板に含まれた隔壁は、図１に図示された隔壁１１２の構造に限られず、多様な形状の隔壁の構造にすることも可能である。
【００２３】
図３Ａ乃至図３Ｃは、本発明の一つの実施形態に係る隔壁の構造を説明するためである。
【００２４】
図３Ａを参照すると、隔壁１１２は、第１隔壁１１２ａと第２隔壁１１２ｂを含み、第１隔壁１１２ａの高さｈ２と第２隔壁１１２ｂの高さｈ１が互い異なる。図３Ａでは、第１隔壁１１２ａと第２隔壁１１２ｂの内、高い方の第１隔壁１１２ａは、互いに異なる色の蛍光体が形成された放電セルを区画し、低い方の第２隔壁１１２ｂは、同一色の蛍光体が形成された放電セルを区画する。
【００２５】
また、高い方の第１隔壁１１２ａの上部には、外部光（外部から入射する光）を吸収できるように第１隔壁又は第２隔壁より暗い色を有するレイヤＡが形成される。
【００２６】
より詳細には、映像が表示される領域に形成された第１隔壁１１２ａの上部にレイヤＡが形成される。
【００２７】
第１隔壁１１２ａ上部へのレイヤ形成は、第１隔壁１１２ａとレイヤとを一体型に形成することによって行うことができ、第１隔壁１１２ａとレイヤとを独立に形成することによって行うこともできる。
第１隔壁１１２ａとレイヤとを独立に形成する方法の場合、レイヤはラミネーティング方法で形成することができ、独立にレイヤを形成する方法の場合、いかなる方法でも可能である。
【００２８】
このような隔壁構造は、プラズマディスプレイパネルの製造時、排気特性を向上させ、放電セルに蛍光体の塗布時、隣接する放電セル間に発生する蛍光体の混色を防止する。
【００２９】
映像が表示される領域において形成された第１隔壁１１２ａの高さと第２隔壁１１２ｂの高さの差は１０μｍ乃至３５μｍの範囲を有することが好ましい。このような隔壁の高さの差に設定する場合には、排気特性だけでなく隔壁の構造的な信頼性を有することができる。
【００３０】
図３Ｂを参照すると、第１隔壁１１２ａ又は第２隔壁１１２ｂの内、少なくともいずれか一方の隔壁上部に、隔壁の長手方向に長いグルーブ（溝）Ｂが形成される例を示している。このような隔壁構造は、プラズマディスプレイパネルの排気特性を向上させる。
【００３１】
図３Ｃを参照すると、第１隔壁１１２ａ又は第２隔壁１１２ｂの内、少なくともいずれか一方の隔壁上部にグルーブＢが形成される。
【００３２】
このような隔壁構造は、図３Ａに示した構造と同様にプラズマディスプレイパネルの排気特性を向上させるだけでなく、蛍光体の混色を防止する。
【００３３】
本発明の一つの実施形態における隔壁は、後面基板１１１にのみ形成されるようになっているが、隔壁１１２は、前面基板１０１及び後面基板１１１の内、いずれか一方に形成されていてもよい。
【００３４】
図４は、本発明の一つの実施形態に係るプラズマディスプレイパネルの放電セル内に形成された蛍光体層を説明するための図である。
【００３５】
図４を参照すると、放電セル内に形成された赤色（Ｒ）、緑色（Ｇ）、青色（Ｂ）の蛍光体層１１４は、厚さが実質的に全て同一であるか又は少なくとも一つの蛍光体層の厚さが他と相異する。例えば、放電セル内に形成された赤色（Ｒ）、緑色（Ｇ）及び青色（Ｂ）の蛍光体層１１４の内、少なくとも一つの厚さが他の蛍光体層の厚さと異なる場合の一例として、図４は、緑色（Ｇ）又は青色（Ｂ）の蛍光体層１１４のそれぞれの厚さｔ２、ｔ３が、赤色（Ｒ）蛍光体層１１４の厚さｔ１より厚い場合を示している。この場合、緑色（Ｇ）の蛍光体層１１４の厚さｔ２は、青色（Ｂ）の蛍光体層１１４の厚さｔ３と実質的に同一であるか又は相異する。
【００３６】
以上では本発明の一つの実施形態に係るプラズマディスプレイパネルの一例だけを図示して説明したものであって、本発明は、以上で説明した構造のプラズマディスプレイパネルに限定されるのではない。例えば、以上の説明では、上部誘電体層１０４及び下部誘電体層１１５が各々単一の層である場合のみを図示しているが、このような上部誘電体層及び下部誘電体層の内、少なくとも一方は複数の層で形成することも可能である。
【００３７】
また、隔壁１１２と対応する前面基板１０１上の特定位置において、外部光の反射を低減させることによりコントラスト特性を向上させ得るように、ブラック層（未図示）がさらに形成される。
【００３８】
また、後面基板１１１上に形成される第３電極２１３は、幅や厚さが実質的に一定であるか、或は、放電セル内部での幅や厚さが放電セル外部での幅や厚さと異なる。例えば、放電セル内部での幅や厚さが放電セル外部でのそれより大きい。
【００３９】
このように、本発明の一つの実施形態に係るプラズマディスプレー装置に含まれるプラズマディスプレイパネルの構造は多様に変更できる。
【００４０】
図５Ａ及び図５Ｂは、本発明の一つの実施形態に係るプラズマディスプレイパネルの電極構造を示した図である。
【００４１】
図５Ａを参照すると、第１電極１０２及び第２電極１０３の内、少なくとも一方は複数の層からなる。
【００４２】
特に、有効放電セル内において発生した光を外部へ放出させるとともに、駆動効率を確保するために、第１電極１０２及び第２電極１０３の内、少なくとも一つは、銀（Ａｇ）のように実質的に電気伝導率が高い材質を含むバス電極１０２ｂ、１０３ｂと、インジウムチンオキサイド（Ｉｎｄｉｕｍ  Ｔｉｎ  Ｏｘｉｄｅ:ＩＴＯ）のような透明な材質を含む透明電極１０２ａ、１０３ａとを含むことが好ましい。
【００４３】
また、第１電極１０２と第２電極１０３が透明電極とバス電極１０２ｂ、１０３ｂとを含む場合には、バス電極１０２ｂ、１０３ｂによる外部光の反射を防止する透明電極１０２ａ、１０３ａとバス電極１０２ｂ、１０３ｂの間にブラック層２２０、２２１がさらに備えられる。
【００４４】
図５Ｂを参照すると、第１電極１０２及び第２電極１０３は単一層からなる。この場合、第１電極１０２及び第２電極１０３は、不透明な電気伝導率の金属材質を含む。例えば、銀（Ａｇ）、銅（Ｃｕ）、アルミニウム（Ａｌ）などのような電気伝導率に優れた材質であるか、又はインジウム-チン-オキサイドに比べて低コストの材質であり得る。
【００４５】
また、第１電極１０２及び第２電極１０３は、上部誘電体層１０４より色が暗い。
【００４６】
このように、第１電極１０２と第２電極１０３が単一層である場合は、複数の層からなる第１電極及び第２電極の製造工程に比べて工程が単純で製造費用も節減することができる。
【００４７】
一方、第１電極１０２と前面基板間及び第２電極１０３と前面基板１０１間の各々には、前面基板１０１の変色を防止し、第１電極１０２又は第２電極１０３の内、少なくともいずれか一方より暗い色を有するブラック層３００ａ、３００ｂがさらに備えられる。このブラック層３００ａ、３００ｂにより、電極のマイグレーション現象を防止することができる。また、ブラック層３００ａ、３００ｂは、外部光の反射率を低減することにより、コントラスト特性を向上させることができる。この場合、ブラック層３００ａ、３００ｂの材質は、例えば、実質的に暗い系列の色を有するルテニウムＲuを含む。
【００４８】
図６は、本発明の一つの実施形態に係るプラズマディスプレイパネルの隔壁構造を示した図である。
【００４９】
図６を参照すると、下部基板１１１全体にかけて形成された隔壁１１２は、側縁部にあって外側に延びるにつれて隔壁の高さが徐々に減少する（漸減する）第１部分Ｐ１と、非側縁部にあって隔壁の高さが実質的に同じ第２部分Ｐ２を含む。この隔壁の第１部分Ｐ１は、隔壁１１２の両側縁部の内、少なくともいずれかの一方の部分であり、その端部は角状をなす。
【００５０】
下部基板において隔壁の第１部分Ｐ１が形成される領域は、映像が表示されないダミー領域に対応し、第２部分Ｐ２が形成される領域は、映像が表示される有効領域に対応する。
【００５１】
隔壁１１２の第１部分Ｐ１の最小高さｈ１は、第２部分Ｐ２の最大高さｈ２の略１０%以上９０%以下であるか、又は略４０%以上７０%以下である。
【００５２】
また、隔壁１１２の第１部分Ｐ１の長さは、略０．１mm以上１０mm以下であるか、又は略０．５mm以上４mm以下である。
【００５３】
このような構造で基板に隔壁１１２が形成されると、プラズマディスプレイパネルで映像が表示されないダミー領域（Ｄｕｍｍｙ  ａｒｅａ）の大きさが過度に増加することを防止することができる。
【００５４】
また、隔壁１１２の第１部分Ｐ１における高さの減少比率は、長さ１μｍ当り０．０１μｍ以上０．１μｍ以下である。
【００５５】
このように、基板に隔壁１１２の第１部分Ｐ１が形成されると、後述する蛍光体の塗布特性を向上させることができる。
【００５６】
一方、隔壁１１２の側縁部の高さを徐々に減少させる理由について、次の図７Ａ乃至図７Ｄを参照して説明する。
【００５７】
図７Ａ乃至図７Ｄは、本発明の蛍光体の塗布特性を説明するための図である。
【００５８】
まず、図７Ａは、ディスペンシング（Ｄｉｓｐｅｎｓｉｎｇ；分配）法による蛍光体層の形成方法を示す。例えば、基板１１１において隔壁１１２により区画された放電セル内に、ノズル（Ｎｏｚｚｌｅ）５１０を含むディスペンシング装置５００を用いて蛍光体の材料をディスペンシングし、その後に、乾燥又は焼成工程を行って蛍光体層を形成する。
【００５９】
一方、図７Ｂのように、基板全体にかけて形成された隔壁１１２が、実質的に一定の高さを維持する場合には、蛍光体ディスペンシング法を行う過程においてディスペンシング装置５００のノズル５１０が隔壁１１２に衝突する可能性がある。これは、ディスペンシング装置５００が隔壁１１２の高さを感知できないことから発生できる。このような場合には、放電セル内に蛍光体材料が円滑にディスペンシングされにくい。
【００６０】
一方、この実施形態では、図７Ｃのように、隔壁１１２の側縁部の高さが徐々に減少するため、ディスペンシング装置５００は、隔壁１１２が形成された開始位置を、より容易に確認することができ、ディスペンシング工程をより安定的に行うことができる。また、ノズル５１０と隔壁１１２の衝突を避けることができることから、不必要に蛍光体の材料が浪費されることを防止することができる。一方、図７Ｄの（ａ）のように隔壁１１２０が、実質的に一定の高さを有する場合、隔壁１１２の乾燥又は焼成工程の後に隔壁１１２が収縮することによって、図７Ｄの（ｂ）のように、隔壁１１２の縁端部分が突出することで隔壁の構造的な信頼性を低下させるとともに、隔壁高さの不均衡によりプラズマディスプレイパネル駆動時の振動及び騷音が発生する可能性もある。
【００６１】
一方に、図７Ｃのように、隔壁１１２の縁端部分の高さが徐々に減少するような構造にすると、隔壁１１２焼成工程の後、隔壁１１２の縁端部分が突出されないため、プラズマディスプレイパネル駆動時の振動及び騷音発生を抑制することができる。
【００６２】
かかる構造により、蛍光体ディスペンシング工程をより安定的に行うことができ、これによって、プラズマディスプレイパネルの構造的な信頼性を向上させることができる。
【００６３】
図８Ａ及び図８Ｂは、本発明の一つの実施形態に係るプラズマディスプレイパネルの他の隔壁構造を示した図である。
【００６４】
図８Ａ及び図８Ｂに図示した例では、隔壁６００の第１部分Ｐ１の端部は、ラウンド状を有するか（図８Ａ）、あるいは隔壁の第１部分の高さが徐々に減少して高さが０になるような形状を有する（図８Ｂ）。
【００６５】
このような隔壁構造は、隔壁製造工程を容易にする。本発明の実施例のように、多様な構造に形成された第１隔壁及び第２隔壁の材質は、１０００ｐｐｍ以下のＰｂが含まれ、隔壁の製造容易性と同時に構造的な信頼性を確保する。
【００６６】
図９は、本発明の一つの実施形態に係るプラズマディスプレー装置で映像階調表現方法を説明するための図である。
【００６７】
図９を参照すると、本発明の一つの実施形態に係るプラズマディスプレー装置において、映像の階調（Ｇｒａｙ  ｌｅｖｅｌ）を表現するための方法では、一つのフレームは発光回数が異なる複数のサブフィールドを含む。
【００６８】
また、複数のサブフィールドの各々は、また全ての放電セルを初期化させるためのリセット期間（Ｒｅｓｅｔ  ｐｅｒｉｏｄ）、放電される放電セルを選択するためのアドレス期間（Ａｄｄｒｅｓｓ  ｐｅｒｉｏｄ）、及び放電回数によって階調を具現するサステイン期間（Ｓｕｓｔａｉｎ  ｐｅｒｉｏｄ）を含む。
【００６９】
一つのフレームを構成する複数のサブフィールド数は、表現しようとする階調値により相違するように構成する。
【００７０】
例えば、２５６階調で映像を表示しようとする場合に、一つのフレームは８個のサブフィールドＳＦ１乃至ＳＦ８から構成され、各サブフィールドのサステイン期間に供給されるサステイン信号の個数を調節して該当サブフィールドの階調加重値を設定する。
【００７１】
例えば、第１サブフィールドの階調加重値を２０、第２サブフィールドの階調加重値を２１、…、というように、各サブフィールドの階調加重値が２n（但し、n=０、１、２、３、４、５、６、７）の割合で増加するように設定することで、各サブフィールドの階調加重値を決定することができる。このように各サブフィールドにおいて、階調加重値により各サブフィールドのサステイン期間で供給されるサステイン信号の個数を調節して、多様な映像の階調を具現するようになる。
【００７２】
また、一つのフレームで階調加重値の大きさが増加する順序によって、サブフィールドが配列されるか、あるいは一つのフレームでサブフィールドが階調加重値が減少する順序によって配列される。また、階調加重値に関係なくランダムにサブフィールドが配列されるようにしてもよい。
【００７３】
図１０は、本発明の一つの実施形態に係るプラズマディスプレー装置の駆動時、一つのサブフィールド期間において、電極に供給される駆動波形を示した図である。
【００７４】
図１０を参照すると、まず、リセット期間以前のプレ（Ｐｒｅ）リセット期間において第１電極１０２に第１下降ランプ（Ｒａｍｐ-ｄｏｗｎ）信号が供給されると同時に、第１下降ランプ信号と反対極性方向のプレサステイン信号ＰＳｕｓが第２電極１０３に供給される。
【００７５】
この場合、第１電極１０２に供給される第１下降ランプ信号は、第１電圧Ｖ１０まで徐々に下降する。
【００７６】
また、プレサステイン信号の電圧ＶＰｚは、以後のサステイン期間で供給されるサステイン信号Ｓｕｓの電圧Ｖsと実質的に同一の電圧である。
【００７７】
このように、プレリセット期間において、第１電極１０２に第１下降ランプ信号が供給され、第２電極１０３に正極性のプレサステイン信号が供給されると、第１電極１０２上に正極性の壁電荷が蓄積され、第２電極１０３上には第１電極１０２と反対極性の壁電荷が蓄積される。
【００７８】
これにより、以後のリセット期間において、プラズマディスプレイパネルに形成された全ての放電セルにおいて初期化を安定的に行うことができる。
【００７９】
また、リセット期間において、第１電極１０２へ供給される上昇ランプ信号（Ｒａｍｐ-ｕｐ）の電圧を低下させても、全ての放電セルに対して以後のアドレス放電のための初期化を容易にすることができる。
【００８０】
このようなプレリセット期間は、一つのフレームの複数のサブフィールドの最初のサブフィールドのリセット期間以前に配列してもよく、一つのフレームの複数のサブフィールドの内、最初のサブフィールド、二番目のサブフィールド、又は一番目から三番目までのサブフィールドのリセット期間以前に含めてもよい。
【００８１】
また、プレリセット期間は、あらゆるサブフィールドに含まれない場合もあり得る。
【００８２】
プレリセット期間以後、初期化のためのリセット期間には、第１電極１０２に上昇ランプ信号と下降ランプ信号が供給され、第２電極１０３には正極性信号Ｓｐが供給される。
【００８３】
上昇ランプ信号は、第２電圧Ｖ２０から第３電圧Ｖ３０まで第１傾きで徐々に上昇する第１上昇ランプ信号と、第３電圧Ｖ３０から第４電圧Ｖ４０まで第２傾きで上昇する第２上昇ランプ信号とを含む。
【００８４】
この場合、第２上昇ランプ信号の第２傾きは、第１傾きより小さいことが好ましい。このように、第２傾きを第１傾きより小さくすると、セットアップ放電により発生する光の量を低減させ得ることから、コントラスト特性を向上させることができる。
【００８５】
正極性信号Ｓｐは、上昇ランプが供給される間、あるいは第１電極に印加された上昇ランプの終了時点以前に第２電極に供給される。
【００８６】
また、正極性信号の幅は、以後のサステイン期間において第１電極及び第２電極の内、少なくともいずれか一方に供給されるサステイン信号の中で最も広いサステイン信号の幅より小さいことが好ましい。
【００８７】
正極性信号の電圧の大きさ△Ｖは、サステイン期間で第１電極１０２又は第２電極１０３の内少なくとも一方に供給されるサステイン信号の電圧の大きさと略同一であることが好ましい。電圧ΔＶが印加されるセットアップ期間では、上昇ランプ信号により放電セル内には弱いセットアップ放電がおこる。このセットアップ放電により、放電セル内には、所定の壁電荷が蓄積される。
【００８８】
また、正極性信号の印加により、放電セル内で過度に蓄積された壁電荷の量を低減させ、以後のアドレス期間やサステイン期間における誤放電発生を低減させることができるようにする。
【００８９】
セットアップ期間以後のセットダウン期間では上昇ランプ信号と反対極性方向の第２下降ランプ信号が第１電極１０２に供給される。
【００９０】
第２下降ランプ信号は、第２電圧Ｖ２０から第５電圧Ｖ５０まで徐々に下降する。これにより、放電セル内において微弱な消去放電（Ｅｒａｓｅ  Ｄｉｓｃｈａｒｇｅ）が発生する。この消去放電により放電セル内にはアドレス放電が安定的に起きる程度の壁電荷が均一に残留することになる。リセット期間以後のアドレス期間においては、第２下降ランプ信号の第５電圧Ｖ５０から徐々に上昇して所定の電圧Ｖｙｂまで上昇した後、一定に維持されるスキャンバイアス信号が第１電極１０２に供給される。
【００９１】
同時に、スキャンバイアス信号の電圧Ｖｙｂからスキャン電圧△Ｖｙ分低下したスキャン信号Ｓｃａｎが全ての第１電極１０２に供給される。
【００９２】
この場合、スキャン信号Ｓｃａｎの幅は、サブフィールドに応じて変更され得る。すなわち、時間軸上で遅く配列されたサブフィールドにおけるスキャン信号Ｓｃａｎの幅が、それ以前に配列されたサブフィールドにおけるスキャン信号Ｓｃａｎの幅より小さい場合がある。
【００９３】
また、スキャン信号Ｓｃａｎが第１電極１０２に供給される時、スキャン信号に対応するように、第３電極１１３に対してデータ電圧の大きさ△Ｖｄだけ高いデータ信号Ｄａｔａが供給される。
【００９４】
このようなスキャン信号Ｓｃａｎの電圧と、データ信号のデータ電圧Ｖd間の電圧差と、リセット期間に生成された壁電荷による壁電圧とが加えられ、放電セル内にはアドレス放電が発生する。
【００９５】
一方、第２電極１０３にはアドレス期間に発生される放電が不安定になることを防止するためにサステインバイアス信号が供給される。
【００９６】
このようなサステインバイアス信号は、正極性信号Ｓｐと一定の時間差をおいて第２電極１０３に供給される。この場合、正極性信号が第２電極１０３に印加された後、前記サステインバイアス信号が第２電極１０３に印加されるまでの所定時間は、正極性信号Ｓｐの幅より長い。
【００９７】
また、正極性信号Ｓｐの幅（印加期間）をａとし、正極性信号Ｓｐの印加後、前記サステインバイアス信号が印加されるまでの所定期間をｂとしたとき、ａ/ｂを１以上１０以下の範囲の値に設定すれば、リセット期間及びアドレス期間に安定した放電を発生させることができる。
【００９８】
図１０では、サステインバイアス信号の印加時点は、スキャンバイス信号が第１電極に印加される時点と一致している。又は、図面に図示されていないが、リセット期間のセットダウン期間やアドレス期間が開始する時点で、サステインバイアス信号が第２電極に供給される。
【００９９】
サステインバイアス信号の電圧Ｖｚｂは、サステイン期間において供給されるサステイン信号Ｓｕｓの電圧よりは小さく、グラウンドレベルＧＮＤの電圧よりは大きい。また、サステインバイアス信号の電圧Ｖｚｂは、正極性信号Ｓｐの電圧より小さい。
【０１００】
以後、映像表示のためのサステイン期間においては、第１電極１０２及び第２電極１０３の内、少なくともいずれか一方にサステイン信号Ｓｕｓが供給される。
【０１０１】
このようなサステイン信号Ｓｕｓは、アドレス放電により選択された放電セル内の壁電圧とサステイン信号Ｓｕｓの所定電圧が加えられることで、第１電極１０２と第２電極１０３間にサステイン放電、すなわち、表示放電が起きるようになる。
【０１０２】
図１１Ａ及び図１１Ｂは、図１０に示された上昇ランプ信号及び第２下降ランプ信号の変形例を説明するための図面である。
【０１０３】
まず、図１１Ａを参照すると、上昇ランプ信号は第３電圧Ｖ３０までは急激に上昇した後、第３電圧Ｖ３０から第４電圧Ｖ４０まで徐々に上昇する形態である。
【０１０４】
このように上昇ランプの傾きを変化させることも可能である。
【０１０５】
次に、図１１Ｂを参照すると、第２下降ランプ信号は第３電圧Ｖ３０から電圧が徐々に下降する形態である。
【０１０６】
このように、第２下降ランプ信号は電圧が下降する時点を変更することも可能である。
【０１０７】
図１２は、図１０に示されたサステイン信号の変形例を説明するための図である。
【０１０８】
図１２に示す変形例では、第１電極１０２に陽極性（+）のサステイン信号と陰極性（-）のサステイン信号が交互に供給する間、第２電極１０３にはバイアス信号を供給する。
また、逆に、第１電極１０２にバイアス信号を供給する間、第２電極１０３に陽極性（+）のサステイン信号と陰極性（-）のサステイン信号を交互に供給するようにしてもよい。
【０１０９】
バイアス信号はグラウンドレベルＧＮＤの電圧を維持することが好ましい。
【０１１０】
第１電極１０２又は第２電極１０３の内いずれか一方の電極にのみサステイン信号を供給する場合には、サステイン期間に第１電極１０２又は第２電極１０３を駆動するための駆動ボードは一個のみあればよい。
【０１１１】
これによって、プラズマディスプレイパネルを駆動するための駆動部全体の規模を低下させることができ、製造単価を低減させることができるようになる。
【０１１２】
開示された上記実施の形態の他に、本発明の技術的思想に基づく他の変形例が想到可能であることは、本発明が属する技術分野の当業者に自明である。
【図面の簡単な説明】
【０１１３】
【図１】本発明の一つの実施形態に係るプラズマディスプレイパネルの構造を説明するための図である。
【図２】本発明の一つの実施形態に係るプラズマディスプレイパネルの放電セル構造を説明するための図である。
【図３Ａ】本発明の一つの実施形態に係る隔壁の構造を説明するための図である。
【図３Ｂ】本発明の一つの実施形態に係る隔壁の構造を説明するための図である。
【図３Ｃ】本発明の一つの実施形態に係る隔壁の構造を説明するための図である。
【図４】本発明の一つの実施形態に係るプラズマディスプレイパネルの放電セル内に形成された蛍光体層を説明するための図である。
【図５Ａ】本発明の一つの実施形態に係るプラズマディスプレイパネルの電極構造を示した図である。
【図５Ｂ】本発明の一つの実施形態に係るプラズマディスプレイパネルの電極構造を示した図である。
【図６】本発明の一つの実施形態に係るプラズマディスプレイパネルの隔壁状を示した図である。
【図７Ａ】本発明の蛍光体の塗布特性を説明するための図である。
【図７Ｂ】本発明の蛍光体の塗布特性を説明するための図である。
【図７Ｃ】本発明の蛍光体の塗布特性を説明するための図である。
【図７Ｄ】本発明の蛍光体の塗布特性を説明するための図である。
【図８Ａ】本発明の一つの実施形態に係るプラズマディスプレイパネルの他の隔壁状を示した図である。
【図８Ｂ】本発明の一つの実施形態に係るプラズマディスプレイパネルの他の隔壁状を示した図である。
【図９】本発明の一つの実施形態に係るプラズマディスプレー装置において映像階調表現方法を説明するための図である。
【図１０】本発明の一つの実施形態に係るプラズマディスプレー装置の駆動時、一つのサブフィールド期間において、電極に供給される駆動波形を示した図である。
【図１１Ａ】図１０に示された上昇ランプ信号及び第２下降ランプ信号の変形例を説明するための図である。
【図１１Ｂ】図１０に示された上昇ランプ信号及び第２下降ランプ信号の変形例を説明するための図である。
【図１２】図１０に示されたサステイン信号の変更例を説明するための図である。
【図１】
2008098133.tif 000003
【図２】
2008098133.tif 000004
【図３Ａ】
2008098133.tif 000005
【図３Ｂ】
2008098133.tif 000006
【図３Ｃ】
2008098133.tif 000007
【図４】
2008098133.tif 000008
【図５Ａ】
2008098133.tif 000009
【図５Ｂ】
2008098133.tif 000010
【図６】
2008098133.tif 000011
【図７Ａ】
2008098133.tif 000012
【図７Ｂ】
2008098133.tif 000013
【図７Ｃ】
2008098133.tif 000014
【図７Ｄ】
2008098133.tif 000015
【図８Ａ】
2008098133.tif 000016
【図８Ｂ】
2008098133.tif 000017
【図９】
2008098133.tif 000018
【図１０】
2008098133.tif 000019
【図１１Ａ】
2008098133.tif 000020
【図１１Ｂ】
2008098133.tif 000021
【図１２】
2008098133.tif 000022